【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
誘導的に動力を備えた装置であって、
一次コイルを有する電源回路であって、磁界を発生させるために前記一次コイルに電力を供給する電源回路と、
二次コイル及び負荷を備えた二次回路を有する二次アセンブリであって、前記二次コイルは磁界内に配列されており、前記二次コイルは、距離が前記一次コイルから物理的に離れており、前記磁界は前記負荷に一の大きさの電力を与えるために前記二次コイルに電流を誘導する二次アセンブリと、
前記負荷に与えられる前記電力の前記大きさを制御するために、前記一次コイルと前記二次コイルの間の距離を変化させる手段とを備えている装置。
【請求項２】
前記一次コイルと前記二次コイルの間の前記距離を変化させる手段は、複数の取り付け位置であってそれぞれが前記一次コイルと異なる距離である複数の取り付け位置を有する二次アセンブリ支持部を含んでおり、前記二次アセンブリは、前記取り付け位置と別の位置に選択的に取り付け可能であることを特徴とする請求項１に記載の誘導的に動力を備えた装置。
【請求項３】
前記一次コイルと前記二次コイルの間の前記距離を変化させる手段は、前記一次コイルに隣接して配置される柔軟な支持部を含んでおり、前記二次アセンブリは、前記柔軟な支持部に取り付けられ、前記柔軟な支持部は、前記一次コイルと前記二次コイルの間の前記距離を変化させるように折り曲げることができることを特徴とする請求項１に記載の誘導的に動力を備えた装置。
【請求項４】
前記一次コイルと前記二次コイルの間の前記距離を変化させる前記手段は、前記一次コイル及び釣合い重りに隣接して配列される支持部を含み、前記二次アセンブリは、前記支持部に取り付けられ、前記支持部は前記一次コイルと前記二次コイルの間の前記距離を変化させるように移動可能であり、前記釣合い重りは、前記二次アセンブリを所定の位置に保持するように前記二次アセンブリの重さをオフセットすることを特徴とする請求項１に記載の誘導的に動力を備えた装置。
【請求項５】
前記一次コイルは、一次ハウジング内に収容され、前記一次コイルと前記二次コイルの間の前記距離を変化させる手段は、前記一次ハウジング内の前記一次コイルを移動させる手段を含むことを特徴とする請求項１に記載の誘導的に動力を備えた装置。
【請求項６】
前記一次コイルと前記二次コイルの間の距離を変化させる前記手段は、前記二次アセンブリ内の前記二次コイルを移動させる手段を含むことを特徴とする請求項１に記載の誘導的に動力を備えた装置。
【請求項７】
前記誘導的に動力を備えた装置は、前記一次コイルを支持するシャフトを含み、前記一次コイルと前記二次コイルの間の前記距離を変化させる前記手段は、前記シャフトに関して前記一次コイルを移動させる手段を含むことを特徴とする請求項１に記載の誘導的に動力を備えた装置。
【請求項８】
前記一次コイルと前記二次コイルの間の前記距離を変化させる前記手段は、ラックとウォームの歯車を含み、前記一次コイルは前記ラックに取り付けられ、前記ウォーム歯車は前記ラックの線形移動をさせるように動作し得ることを特徴とする請求項１に記載の誘導的に動力を備えた装置。
【請求項９】
前記一次コイルと前記二次コイルの間の前記それぞれの位置を変化させる前記手段は、前記一次コイルと前記二次コイルの間の角度方向を変化させる手段を含むことを特徴とする請求項１に記載の誘導的に動力を備えた装置。
【請求項１０】
前記一次コイル及び前記二次コイルは、一方が他方内に配列され、前記一次コイル及び前記二次コイルのうちの少なくとも１つが前記装置に枢転可能に取り付けられていることを特徴とする請求項９に記載の誘導的に動力を備えた装置。
【請求項１１】
前記一次コイルを支持するシャフトと、
前記二次コイルを支持するアームであって、前記シャフトについて枢転移動するために取り付けられているアームとをさらに含んでいる請求項９に記載の誘導的に動力を備えた装置。
【請求項１２】
前記電源回路は、前記負荷を示す前記電力の特性を監視する手段及び監視された前記特性に基づいて前記電力の特性を変化させる手段を含み、前記電源回路は、１又は複数の誘導的に動力を備えた装置の関数として動作を最適化するために前記電力を変化させることを特徴とする請求項１に記載の誘導的に動力を備えた装置。
【請求項１３】
前記負荷は、光源としてさらに定義されることを特徴とする請求項１２に記載の誘導的に動力を備えた装置。
【請求項１４】
前記二次回路は、前記一次コイルと前記光源の間に電気的に直列に接続されるキャパシタをさらに含むことを特徴とする請求項１３に記載の誘導的に動力を備えた装置。
【請求項１５】
誘導的に動力を備えた装置であって、
磁界を発生させる一次コイルを有する電源回路と、
前記一次コイルと物理的に接触しない二次コイルであって、前記一次コイルが前記二次コイルから距離が離れており、前記磁界内に配置され、それによって、電力が前記二次コイルの前記磁界によって誘導される二次コイルと、
前記二次コイルに電気的に接続される負荷であって、前記二次コイルからの前記電力を受け付ける負荷と、
前記負荷に与えられる前記電力を変化させるために前記一次コイルと前記二次コイルの間の距離を変化させる手段とを備えている装置。
【請求項１６】
前記一次コイルと前記二次コイルの間のそれぞれの位置を変化させる手段は、前記一次コイルと前記二次コイルの間の角度方向を変化させる手段を含んでいる請求項１５に記載の装置。
【請求項１７】
誘導的に動力を備えた光アセンブリであって、
磁界を発生させる一次コイルと、
ランプアセンブリであって、
光源と、
少なくとも部分的に光透過する第１の光透過部及び少なくとも部分的に光透過する第２の光透過部を有するハウジングであって、前記第１の光透過部は前記第２の光透過部とは異なる光透過特性を有するハウジングとを含むランプアセンブリとを備え、
前記ランプアセンブリは、少なくとも２つの別個の方向に前記磁界内で取り付け可能であることを特徴とする光アセンブリ。
【請求項１８】
前記第１の光透過部は、実質的に透明であり、前記第２の光透過部は、前記第２の光透過部は実質的に半透明であることを特徴とする請求項１７に記載の光アセンブリ。
【請求項１９】
前記第１の光透過部は、前記第１の光透過部は、前記第２の光透過部よりも大きいことを特徴とする請求項１７に記載の光アセンブリ。
【請求項２０】
前記第１の光透過部及び前記第２の光透過部のうちの少なくとも１つは、レンズであるであることを特徴とする請求項１７に記載の光アセンブリ。
【請求項２１】
前記第１の光透過部は、実質的に透明であり、前記第２の光透過部は、実質的に半透明であることを特徴とする請求項１７に記載の光アセンブリ。
【請求項２２】
前記第１の光透過部は第１の色であり、前記第２の光透過部は第２の色であり、前記第１の色は、前記第２の色とは異なることを特徴とする請求項１７に記載の光アセンブリ。
【請求項２３】
前記一次コイルの周囲に実質的に取り付けられる支持部をさらに備え、前記ランプアセンブリは、少なくとも２つの別個の方向に前記支持部に取り付け可能であることを特徴とする請求項１７に記載の光アセンブリ。
【請求項２４】
前記第１の透過部は、前記ランプアセンブリが第１の方向に前記支持部に取り付けられる場合に実質的に下方に向けられ、
前記第２の透過部は、前記ランプアセンブリが第２の方向に前記支持部に取り付けられる場合に実質的に下方に向けられることを特徴とする請求項２３に記載の光アセンブリ。
【請求項２５】
前記支持部は開口部を画定し、前記ランプアセンブリは少なくとも２つの別個の方向に前記開口部内に取り付け可能であることを特徴とする請求項２４に記載の光アセンブリ。
【請求項２６】
誘導的に動力を備えた光アセンブリであって、
磁界を発生させる一次コイルと、
光源と、少なくとも部分的に光透過する第１の光透過部及び少なくとも部分的に光透過する第２の光透過部を有するハウジングとを含むランプアセンブリであって、前記第１の光透過部は、前記第２の光透過部とは異なる光透過特性を有しており、前記ランプアセンブリは、前記磁界内で少なくとも２つの別個の方向に取り付け可能であることを特徴とするランプアセンブリと、
前記一次コイルの周囲に実質的に取り付けられる支持部とを備え、
前記ランプアセンブリは少なくとも２つの別個の方向に前記支持部に取り付け可能であり、前記第１の透過部は、前記ランプアセンブリが第１の方向に前記支持部に取り付けられるときに実質的に下方に向けられ、前記第２の透過部は、前記ランプアセンブリが第２の方向に前記支持部に取り付けられるときに実質的に下方に向けられ、前記支持部は開口部を定義し、前記ランプアセンブリは前記開口部内で少なくとも２つの別個の方向に適合可能であり、
前記ランプアセンブリは、前記ランプアセンブリが前記第１の方向及び前記第２の方向にある場合に前記開口部内で前記ランプアセンブリを支持するために前記支持部と係合する支持リングを含むことを特徴とする光アセンブリ。
【請求項２７】
一次コイルを有する電源回路であって、磁界を発生させるために前記一次コイルに電力を与える電源回路と、
複数の二次装置であって、各二次装置は二次コイル及び負荷を有する二次回路を含む二次回路と、
前記一次コイルに隣接して配列されるレセプタクルであって、前記複数の二次装置の１又は複数を受信できるレセプタクルであって、前記二次コイルは前記磁界内で実質的にランダムな位置で実質的にランダムな方向に配列され、前記磁界は前記負荷に電力を与えるために前記二次コイルに電流を誘導することを特徴とするレセプタクルとを備える誘導的に動力を備えた装置。
【請求項２８】
前記電源回路は、前記二次装置の特性の関数として前記一次コイルに与えられる前記電力を変化させる手段を含むことを特徴とする請求項２７に記載の誘導的に動力を備えた装置。
【請求項２９】
前記電源回路は、前記複数の二次装置が指示する前記電力の特性を監視する手段及び前記監視された特性に基づいて前記電力の特性を変化させる手段を含み、前記電源回路は、前記複数の二次装置の関数として動作を最適化するために前記電力を変化させることを特徴とする請求項２７に記載の誘導的に動力を備えた装置。
【請求項３０】
前記レセプタクルは、一般には、皿形状であり、前記一次コイルは、前記レセプタクルに同心状に配列されることを特徴とする請求項２７に記載の誘導的に動力を備えた装置。
【請求項３１】
前記レセプタクルは、一般には、皿形状であり、前記一次コイルは、前記レセプタクルの周りに実質的に配列されることを特徴とする請求項２７に記載の誘導的に動力を備えた装置。
【請求項３２】
前記レセプタクルは、実質的に平面であり、前記一次コイルは、前記レセプタクルの周りに実質的に配列されることを請求項３１に記載の誘導的に動力を備えた装置。
【請求項３３】
前記二次装置それぞれの前記負荷は、光源としてさらに定義されることを特徴とする請求項２７に記載の誘導的に動力を備えた装置。
【請求項３４】
前記二次装置の少なくとも１つは、第１のコイル及び第２のコイルを有する二次コイルを含み、前記第１のコイル及び前記第２のコイルは、異なる角度方向に向けられていることを特徴とする請求項３３に記載の誘導的に動力を備えた装置。
【請求項３５】
第１の光源は、前記第１のコイルに接続されており、第２の光源は、前記第２のコイルに接続されていることを特徴とする請求項３４に記載の誘導的に動力を備えた装置。
【請求項３６】
前記第１の光源は、第１の色の光を発生させており、前記第２の光源は、第２の色の光を発生させており、前記第１の色は前記第２の色は異なることを特徴とする請求項３５に記載の誘導的に動力を備えた装置。
【請求項３７】
前記二次装置の少なくとも１つは、実質的に球状のハウジングを含み、
前記二次コイル、前記二次回路及び前記光源は、前記ハウジング内に配列されていることを特徴とする請求項３３に記載の誘導的に動力を備えた装置。
【請求項３８】
蓄電レセプタクルをさらに備え、前記蓄電レセプタクルは、実質的に前記磁界の外側に配列されることを特徴とする請求項３７に記載の誘導的に動力を備えた装置。
【請求項３９】
前記第１の光源及び前記第２の光源の少なくとも１つは、発光ダイオードであることを特徴とする請求項３５に記載の誘導的に動力を備えた装置。
【請求項４０】
一次コイルに電力を供給するための電源回路であって、前記一次コイルは磁界を発生させるようになっている電源回路と、
１又は複数の誘導的に動力を備えた装置と、
前記一次コイルに隣接して配列されるレセプタクルであって、前記磁界内にランダムに１又は複数の誘導的に動力を備えた装置を受信するレセプタクルとを備え、
前記電源回路は、前記１又は複数の誘導的に動力を備えた装置の累積負荷特性が指示する前記電力の特性を監視する手段及び前記監視された特性に基づいて前記電力の特性を変化させる手段を含み、前記電源回路は、動作の効率を改善するために前記１又は複数の誘導的に動力を備えた装置の関数として前記一次コイルに与えられる前記電力を変化させることを特徴とする誘導電源システム。
【請求項４１】
前記誘導的な動力を備えた装置の少なくとも１つは、第１のコイル及び第２のコイルを有する二次コイルを含み、前記第１のコイル及び前記第２のコイルは、異なる角度方向に向けられることを特徴とする請求項４０に記載の誘導電源システム。
【請求項４２】
前記第１のコイル及び前記第２のコイルは、前記負荷にＤＣ電力を提供するために半ブリッジ配置で電気的に接続されていることを特徴とする請求項４１に記載の誘導電源システム。
【請求項４３】
前記第１のコイル及び前記第２のコイルは、前記負荷にＤＣ電力を提供するために全ブリッジ配置で電気的に接続されていることを特徴とする請求項４１に記載の誘導電源システム。
【請求項４４】
前記第１のコイル及び前記第２のコイルは、前記負荷にＡＣ電力を提供するために前記負荷に対して電気的に並列に接続されていることを特徴とする請求項４１に記載の誘導電源システム。
【請求項４５】
前記誘導的な動力を備えた装置の少なくとも１つは、第１のコイル、第２のコイル及び第３のコイルを有する二次コイルを含み、前記第１のコイル、前記第２のコイル及び前記第３のコイルは、それぞれ互いにおよそ９０度に向けられていることを特徴とする請求項４０に記載の誘導電源システム。
【請求項４６】
前記第１のコイル、前記第２のコイル及び前記第３のコイルは、前記負荷にＤＣ電力を提供するために半ブリッジ配置で電気的に接続されていることを特徴とする請求項４５に記載の誘導電源システム。
【請求項４７】
前記第１のコイル、前記第２のコイル及び前記第３のコイルは、前記負荷にＤＣ電力を提供するために全ブリッジ配置で電気的に接続されていることを特徴とする請求項４５に記載の誘導電源システム。
【請求項４８】
前記第１のコイル、前記第２のコイル及び前記第３のコイルは、前記負荷にＡＣ電力を提供するために前記負荷に対して電気的に並列に接続されていることを特徴とする請求項４６に記載の誘導電源システム。
【請求項４９】
監視する前記手段は、前記一次コイルに与えられる前記電力の電流及び電圧の少なくとも１つを監視する手段を含み、
変化させる前記手段は、前記電流及び前記電圧の少なくとも１つに基づいて前記一次コイルに与えられる前記電力の周波数を変化させる手段を含むことを特徴とする請求項４６に記載の誘導電源システム。
【請求項５０】
一次コイルに電気的に接続される電源回路であって、電源回路は前記一次コイルに電力を与え、前記一次コイルは電磁界を発生させる電源回路と、
複数のランプアセンブリであって、前記ランプアセンブリのそれぞれは二次コイル及び光源を含むランプアセンブリと、
前記電磁界内に配列されるレセプタクルであって、前記複数のランプアセンブリのうちの１又は複数を受信するレセプタクルとを備え、
照明アセンブリによって出力される光は、前記レセプタクル内に配列される前記複数のランプアセンブリのうちの多くを変化させることによって選択的に変化し得ることを特徴とする照明システム。
【請求項５１】
前記ランプアセンブリの少なくとも１つの角度方向は、前記ランプアセンブリによって出力される光を選択的に制御するように変化し得ることを特徴とする請求項５０に記載の照明システム。
【請求項５２】
前記ランプアセンブリの少なくとも１つは、第１の角度方向に向けられる第１のコイル及び第２の角度方向に向けられる第２のコイルを有する二次コイルを含むことを特徴とする請求項５１に記載の照明システム。
【請求項５３】
前記ランプアセンブリの少なくとも１つは、前記第１のコイルに電気的に接続される第１の光源及び前記第２のコイルに電気的に接続される第２の光源を含み、
前記第２の光源に関して前記第１の光源の相対的な明るさは、前記レセプタクル内の前記ランプアセンブリの角度方向及び位置の少なくとも１つを変化させることによって選択的に制御可能であることを特徴とする請求項５２に記載の照明システム。
【請求項５４】
前記第１の光源は、前記第２の光源とは異なる色の光を発生させることを特徴とする請求項５３に記載の照明システム。
【請求項５５】
前記電源回路は、前記レセプタクル内に配列される前記１又は複数のランプアセンブリの累積負荷特性が指示する前記電力の特性を監視する手段及び前記監視された特性に基づいて前記電路句の特性を変化させる手段を含み、
前記電源回路は、前記累積負荷特性の関数として前記一次コイルに与えられる前記電力を変化させることを特徴とする請求項５４に記載の照明システム。
【請求項５６】
監視する前記手段は、前記一次コイルに与えられる前記電力の電流及び電圧のうちの少なくとも１つを監視する手段を含み、
変化させる前記手段は、前記電流及び前記電圧のうちの少なくとも１つに基づいて前記一次コイルに与えられる前記電力の周波数を変化させる手段を含むことを特徴とする請求項５５に記載の照明システム。
【請求項５７】
誘導的に動力を備えた装置のための二次コイルであって、
第１の角度方向に配置される第１のコイルと、
第２の角度方向に配置される第２のコイルであって、前記第１の角度方向が前記第２の角度方向とは異なっている第２のコイルと、
共通の負荷を用いて前記第１のコイル及び前記第２のコイルを電気的に並列に接続する回路手段とを備えている二次コイル。
【請求項５８】
前記第１の角度方向と前記第２の角度方向は、９０度ずれていることを特徴とする請求項５７に記載の二次コイル。
【請求項５９】
第３の角度方向に配置される第３のコイルをさらに備え、前記第３の角度方向は、前記第１の方向及び前記第２の方向とは異なることを特徴とする請求項５７に記載の二次コイル。
【請求項６０】
前記第１の角度方向、前記第２の角度方向及び前記第３の角度方向は、お互いにそれぞれ９０度をなしていることを特徴とする請求項５９に記載の二次コイル。
【請求項６１】
前記負荷と、前記第１のコイル、前記第３のコイル及び前記第３のコイルのそれぞれとの間に直列に接続されるキャパシタをさらに備えている請求項６０に記載の二次コイル。
【請求項６２】
前記第１のコイル、前記第２のコイル及び前記第３のコイルは、前記負荷と、前記第１のコイル、前記第３のコイル及び前記第３のコイルのそれぞれとの間に直列に接続されるダイオードを用いて半ブリッジ配置で電気的に接続されていることを特徴とする請求項５９に記載の二次コイル。
【請求項６３】
前記第１のコイル、前記第２のコイル及び前記第３のコイルは、前記負荷と、前記第１のコイル、前記第２のコイル及び前記第３のコイルのそれぞれの反対側との間に直列に接続される一対のダイオードを用いて全ブリッジ配置で電気的に接続されていることを特徴とする請求項５９に記載の二次コイル。
【請求項６４】
前記第１のコイル、前記第２のコイル及び前記第３のコイルは共通のボビンに巻きつけられていることを特徴とする請求項５９に記載の二次コイル。
【請求項６５】
前記第１のコイル、前記第２のコイル及び前記第３のコイルは、共通の実質的に球状のボビンに巻きつけられていることを特徴とする請求項５９に記載の二次コイル。
【請求項６６】
前記第１のコイルは、第１のボビンに巻きつけられており、前記第２のコイルは、第２のボビンに巻きつけられており、前記第３のコイルは、第３のボビンに巻きつけられていることを特徴とする請求項５９に記載の二次コイル。
【請求項６７】
前記第１のボビンは、前記第２のボビン内に取り付けられており、前記第２のボビンは、前記第３のボビン内に取り付けられていることを特徴とする請求項６６に記載の二次コイル。
【請求項６８】
前記第１のボビンは第１の直径を有しており、前記第２のボビンは第２の直径を有しており、前記第３のボビンは第３の直径を有しており、前記第１の直径は前記第２の直径より短く、前記第２の直径は前記第３の直径より短くなっており、
前記第１のコイルは、前記第２のコイルより多い巻数を含み、前記第２のコイルは、前記第３のコイルより多い巻数を含むことを特徴とする請求項６６に記載の二次コイル。
【請求項６９】
負荷と、
前記負荷に電気的に接続される二次コイルであって、前記負荷と電気的に接続される第１のコイル及び前記負荷と電気的に接続される第２のコイルを含む二次コイルであって、前記第１のコイルは第１の角度方向に配置され、前記第２のコイルは前記第１の角度方向とは異なる第２の角度方向に配置されている二次コイルとを備えることを特徴とする誘導的に動力を備えた装置。
【請求項７０】
前記第１の角度方向と前記第２の角度方向は、およそ９０度をなしていることを特徴とする請求項６９に記載の二次コイル。
【請求項７１】
第３の角度方向に配置される第３のコイルをさらに備え、前記第３の角度方向は、前記第１の方向及び前記第２の方向とは異なることを特徴とする請求項６９に記載の二次コイル。
【請求項７２】
前記第１の角度方向、前記第２の角度方向及び前記第３の角度方向は、それぞれお互いにおよそ９０度をなしていることを特徴とする請求項７１に記載の二次コイル。
【請求項７３】
前記負荷と、前記第１のコイル、前記第２のコイル及び前記第３のコイルのそれぞれとの間に直列に接続されているキャパシタをさらに備えている請求項７１に記載の二次コイル。
【請求項７４】
前記第１のコイル、前記第２のコイル及び前記第３のコイルは、前記負荷と、前記第１のコイル、前記第２のコイル及び前記第３のコイルのそれぞれとの間に直列に接続されるダイオードを用いて半ブリッジ配置で電気的に接続されていることを特徴とする請求項７１に記載の二次コイル。
【請求項７５】
前記第１のコイル、前記第２のコイル及び前記第３のコイルは、前記負荷と、前記第１のコイル、前記第２のコイル及び前記第３のコイルのそれぞれの反対側との間に直列に接続される一対のダイオードを用いて全ブリッジ配置で電気的に接続されていることを特徴とする請求項７１に記載の二次コイル。
【請求項７６】
前記第１のコイル、前記第２のコイル及び前記第３のコイルは、共通のボビンに巻きつけられていることを特徴とする請求項７１に記載の二次コイル。
【請求項７７】
前記第１のコイル、前記第２のコイル及び前記第３のコイルは、共通の実質的に球状のボビンに巻きつけられていることを特徴とする請求項７１に記載の二次コイル。
【請求項７８】
前記第１のコイルは、第１のボビンに巻きつけられており、前記第２のコイルは、第２のボビンに巻きつけられており、前記第３のコイルは、第３のボビンに巻きつけられていることを特徴とする請求項７１に記載の二次コイル。
【請求項７９】
前記第１のボビンは、前記第２のボビン内に取り付けられており、前記第２のボビンは、前記第３のボビン内に取り付けられていることを特徴とする請求項７８に記載の二次コイル。
【請求項８０】
前記第１のボビンは、第１の直径を有しており、前記第２のボビンは、第２の直径を有しており、前記第３のボビンは、第３の直径を有しており、前記第１の直径は、前記第２の直径より短く、前記第２の直径は前記第３の直径より短くなっており、
前記第１のコイルは、前記第２のコイルより多くの巻数を含み、前記第２のコイルは前記第３のコイルより多い巻数を含むことを特徴とする請求項７８に記載の二次コイル。
【請求項８１】
従来型のランプソケットで利用するための誘導アダプタであって、
従来型のネジ切りランプソケットに内に取り付けられるようになっているネジ基部と、前記前記従来型のネジ切りランプソケットを介して電力を受信することに基づいて前記ネジに電気的に説億される電源回路と、前記電源回路に電気的に接続されており、前記電源回路から電力を受信する一次コイルと、ランプアセンブリレセプタクルとを含むアダプタ基部と、
前記ランプアセンブリレセプタクル内に取り付けられるランプアセンブリであって、前記ランプアセンブリは光源に電気的に接続される二次コイルを有しており、前記二次コイルは前記光源に電力を提供するように前記一次コイルから誘導的な電力をするランプアセンブリとを備えている誘導アダプタ。
【請求項８２】
前記レセプタクル内の前記ランプアセンブリの位置を変化させるための機械式調光器をさらに備えている請求項８１に記載の誘導アダプタ。
【請求項８３】
前記機械式調光器は前記アダプタ及び前記ランプアセンブリの少なくとも１つに配列されるカムを含むことを特徴とする請求項８２に記載の誘導アダプタ。
【請求項８４】
前記機械式調光器は前記アダプタ及び前記ランプアセンブリの少なくとも１つに配列されるネジを含むことを特徴とする請求項８２に記載の誘導アダプタ。
【請求項８５】
前記ランプアセンブリレセプタクルは空隙を定義し、前記ランプアセンブリは前記空隙内に密接に取り付けられる二次コイルハウジングを含むことを特徴とする請求項８２に記載の誘導アダプタ。
【請求項８６】
前記ランプアセンブリレセプタクル及び二次コイルハウジングの少なくとも１つは、前記ランプアセンブリ及び前記二次コイルハウジングのその他を係合する弾性部材を含むことを特徴とする請求項８５に記載の誘導アダプタ。
【請求項８７】
誘導的に動力を備えたウィンドチャイムであって、
一次コイルを駆動する電源回路と、
前記一次コイルに隣接して移動可能に取り付けられる複数のチャイムアセンブリであって、風により前記チャイムアセンブリが前記一次コイルに関して移動するようになっておいるチャイムアセンブリとを備え、
前記チャイムアセンブリのそれぞれは、二次コイルと、前記二次コイルに電気的に接続される光源と、チャイムとを含み、
風による前記チャイムアセンブリの移動により、前記光源は明るさが変化し、前記チャイムは所望の音を作り出すようにお互いに衝突するようになっているウィンドチャイム。
【請求項８８】
前記一次コイルは、一般的には環状であり、前記チャイムアセンブリのそれぞれは前記一次コイルを有する実質的な水平アライメントで前記二次コイルを有する一次コイル内に取り下げられていることを特徴とする請求項８７に記載の誘導的に動力を備えたウィンドチャイム。
【請求項８９】
前記チャイムアセンブリのそれぞれは、ハウジング、前記二次コイル及び前記ハウジング内に配列される前記光源をさらに含み、前記チャイムは前記ハウジングに取り付けられていることを特徴とする請求項８８に記載の誘導的に動力を備えたウィンドチャイム。
【請求項９０】
第１の負荷と、
第１の大きさで前記第１の負荷に電力を提供するために前記第１の負荷に電気的に接続される第１の二次コイルと、
第２の負荷と、
第２の大きさで前記第２の負荷に電力を提供するために前記第２の負荷に電気的に接続される第２の二次コイルとを備えている誘導的に動力を備えた装置。
【請求項９１】
前記第１の二次コイル及び前記第２の二次コイルは、装置について異なる方向に配列されており、前記第１の大きさ及び前記第２の大きさは、前記装置が磁界内で方向を変化させるように反比例の関係で変化することを特徴とする請求項９０に記載の誘導的に動力を備えた装置。
【請求項９２】
第３の大きさで前記第３の負荷に電力を提供するために前記第３の負荷に電気的に接続される第３の負荷及び第３の二次コイルをさらに含む請求項９０に記載の誘導的に動力を備えた装置。
【請求項９３】
前記第１の二次コイル、前記第２の二次コイル及び前記第３の二次コイルは、前記装置について異なる方向に配列されており、前記第１の大きさ、前記第２の大きさ及び前記第３の大きさは、前記装置が磁界内で方向を変化させるように変化することを特徴とする請求項９２に記載の誘導的に動力を備えた装置。
【請求項９４】
前記第１の二次コイル、前記第２の二次コイル及び前記第３の二次コイルは、お互いにおよそ９０度に向けられていることを特徴とする請求項９３に記載の誘導的に動力を備えた装置。
【請求項９５】
誘導的に動力を備えた光アセンブリであって、
磁界を発生させる一次コイルと、
光源と、第１の光透過部及び第２の光透過部を有するハウジングとを含むランプアセンブリとを備え、
前記第１の光透過部は、前記第２の光透過部とは異なる光透過特性を有しており、
前記ランプアセンブリは、前記磁界内で少なくとも第１の方向及び別個の第２の方向に取り付け可能であり、前記第１の方向のおいて、少なくとも前記第１の光透過部が露出され、前記第２の方向において、少なくとも前記第２の光透過部が露出される光アセンブリ。
【請求項９６】
前記第１の光透過部は、実質的に透明であり、前記第２の光透過部は、実質的に半透明である請求項９５に記載の光アセンブリ。
【請求項９７】
前記第１の光透過部は、前記第２の光透過部より大きいことを特徴とする請求項９５に記載の光アセンブリ。
【請求項９８】
前記第１の光透過部及び前記第２の光透過部の少なくとも１つは、レンズである請求項９５に記載の光アセンブリ。
【請求項９９】
前記第１の光透過部は、実質的に透明であり、前記第２の光透過部は、実質的に半透明であることを特徴とする請求項９５に記載の光アセンブリ。
【請求項１００】
前記第１の光透過部は、第１の色であり、前記第２の光透過部は、第２の色であり、前記第１の色は、前記第２の色とは異なることを特徴とする請求項９５に記載の光アセンブリ。